(57)【特許請求の範囲】
【請求項１】
燃料ポンプ部と駆動用モータ部とが組付けられた略筒状の燃料ポンプ本体と、その燃料ポンプ本体の一端側を閉塞するボディアッパを有し、
そのボディアッパは、樹脂製のボディアッパ本体と、そのボディアッパ本体を貫通するターミナルプレートとを備えており、
そのターミナルプレートは、反燃料ポンプ本体側から順に、ボディアッパ本体から燃料ポンプ外に突出するコネクタ勘合部と、燃料ポンプ本体側に向かって拡開する切起しと、コネクタ勘合部よりも肉厚な肉厚部とを有し、
前記ボディアッパ本体は、筒状の燃料ポンプ本体の一端側を閉塞する外形と、ターミナルプレート貫通孔を有し、そのターミナルプレート貫通孔は、反燃料ポンプ本体側から順に、燃料ポンプ本体側に向かって拡開する切起しに当接する段部と、切起しに接して切起しを閉じる凸部と、ターミナルプレート肉厚部に液密に密着する圧入部とを備えており、
切起しが自然形状の状態では、肉厚部の肉厚がターミナルプレートの反切起し側の端面から切起しの先端までの長さよりも小さくされており、
切起しと凸部と圧入部は、ターミナルプレートをターミナルプレート貫通孔に挿入する際に、切起しが圧入部に接触する前に凸部によって閉じられるようになっていることを特徴とする燃料ポンプ。
【発明の詳細な説明】
【０００１】
【発明の属する技術分野】
本発明は、ガソリン等の燃料を吸入して吐出する燃料ポンプに関し、詳しくは、燃料ポンプ本体の一端側を閉塞するボディアッパへターミナルプレートを液密に固定する構造に関する。
【０００２】
【従来の技術】
略筒状のハウジングに燃料ポンプ部と駆動用モータ部とを組付けて燃料ポンプ本体を構成し、その筒状の燃料ポンプ本体の反燃料ポンプ部側の開放された端側にボディアッパを固定して閉塞する燃料ポンプが知られている。この形式の燃料ポンプでは、モータ部を外部電源に接続するためにターミナルプレートを利用し、そのターミナルプレートをボディアッパに貫通させる。ターミナルプレートのボディアッパの内側にモータ部のブラシが接続され、ターミナルプレートのボディアッパの外側に外部電源に接続するコネクタが接続される。
このターミナルプレートはボディアッパ本体に液密に固定されている必要がある。そのために樹脂製のボディアッパ本体を射出成形する際に、金属製のターミナルプレートをインサート成形することが多い。特開平１１−４４２７０号公報には、インサート成形するのに代えて、樹脂製のボディアッパ本体を成形するときにターミナルプレートの挿入孔を設けておき、後からボディアッパ本体に形成されている挿入孔にターミナルプレートを圧入して固定する技術が開示されている。
【０００３】
【発明が解決しようとする課題】
金属製のターミナルプレートを樹脂製のボディアッパ本体にインサート成形すると、ターミナルプレートとボディアッパ本体を液密に密着させることができるが、製造コストが高くなってしまう。
樹脂製のボディアッパ本体を成形するときにターミナルプレートの挿入孔を設けておき、ボディアッパ本体に形成されている挿入孔にターミナルプレートを圧入して固定する技術では、ボディアッパ本体からターミナルプレートが抜け落ちる可能性があり、これを回避するためにコイル等の他部品が必要となり、やはり高コスト化してしまう。
【０００４】
本発明者らは、ターミナルプレートに側方に向けて張出すバネ性を持つ張出し部を形成することによって、ボディアッパ本体にターミナルプレートを圧入するだけで抜け止めされる構造に思い至った。しかしながら実験してみると、ターミナルプレートを圧入する際に、抜け止めのための張出し部がボディアッパ本体を傷つけ、どうしてもターミナルプレートとボディアッパ本体間を液密に密着させることができないことがわかった。液密を確保しながら抜け止めすることは難しい。
【０００５】
本発明は、上記の困難性を克服し、ターミナルプレートをボディアッパ本体に圧入するだけで、ターミナルプレートがボディアッパ本体に抜け止めされ、さらに、ターミナルプレートとボディアッパ本体が液密に密着する構造を実現したものである。
本発明では、ターミナルプレートに切起しを形成する。ここでいう切起しとは、板状部材に一辺を残した切れ目を入れ、その残された一辺を中心にして周辺が切断された片を屈曲させた構造であって、その屈曲された片がバネ性を有するものをいう。この切起しはスリットに挿入された板状部材の抜止めに多用される。屈曲された片の接続された辺の側を先頭にして板状部材をスリットに挿入すると、側方に張出した片はスリットに押されて閉じ、閉じた状態でスリットを通過し、スリットを通過するとバネ性によって側方に張出し、張出してしまうとスリットから抜け出ることを禁止するというものである。
この切起しは簡単な構造でありながら、抜け止め防止効果が高く優れた構造であるが、本発明が対象とするターミナルプレートとボディアッパ本体間に適用すると、ターミナルプレートに設けた切起しが、ボディアッパ本体のターミナルプレート挿入用の貫通孔を通過する際にボディアッパ本体を傷つけることからそのままでは使えない。
【０００６】
【課題を解決するための手段と作用と効果】
本発明の燃料ポンプは、上記の技術的問題点を解消するものであり、燃料ポンプ部と駆動用モータ部とが組付けられた略筒状の燃料ポンプ本体と、その燃料ポンプ本体の一端側を閉塞するボディアッパを有している。そのボディアッパは、樹脂製のボディアッパ本体と、そのボディアッパ本体を貫通するターミナルプレートとを備えている。そのターミナルプレートは、反燃料ポンプ本体側から順に、ボディアッパ本体から燃料ポンプ外に突出するコネクタ勘合部と、燃料ポンプ本体側に向かって拡開する切起しと、コネクタ勘合部よりも肉厚な肉厚部とを有している。ボディアッパ本体は、筒状の燃料ポンプ本体の一端側を閉塞する外形と、ターミナルプレート貫通孔を有し、そのターミナルプレート貫通孔は、反燃料ポンプ本体側から順に、燃料ポンプ本体側に向かって拡開する切起しに当接する段部と、切起しに接して切起しを閉じる凸部と、ターミナルプレート肉厚部に液密に密着する圧入部とを備えている。切起しが自然形状の状態では、肉厚部の肉厚がターミナルプレートの下端面から切起しの上端までの長さよりも小さくされている。そして、切起しと凸部と圧入部は、ターミナルプレートをターミナルプレート貫通孔に挿入する際に、切起しが圧入部に当接する前に凸部によって閉じられることを特徴とする。
【０００７】
本発明のボディアッパ本体とターミナルプレートは、ターミナルプレートの肉厚部をボディアッパ本体の圧入部に圧入して両者を液密に密着させることによってボディアッパ本体とターミナルプレート間の液密を確保する。また、ターミナルプレートには、抜け止め用の切起しが形成されており、ボディアッパ本体に設けられたターミナルプレート貫通孔には、ターミナルプレートの切起しに係合してターミナルプレートがボディアッパ本体から抜け出るのを禁止する段部が形成されている。ボディアッパ本体の燃料ポンプ本体側からターミナルプレート貫通孔にターミナルプレートを挿入すると、切起しはターミナルプレート貫通孔の内壁に押圧されて閉じ、さらに挿入すると、切起しは段部の先方に到達して拡開して段部に係合する。こうなると、ターミナルプレートが燃料ポンプ本体側へ押戻されることが禁止される。
ターミナルプレートの切起しがボディアッパ本体のターミナルプレート貫通孔を通過するときに、切起しがボディアッパ本体の圧入部に接触すると圧入部を傷つけてしまい、液密に密着させることができなくなるが、本発明では、ターミナルプレートの切起しが凸部に接して閉じた状態でターミナルプレート貫通孔の圧入部に接触することなく通過するため、圧入部の壁面を傷つけることはない。よって、ターミナルプレートの肉厚部とボディアッパ本体の圧入部を液密に密着させることができ、他部品を使わないで抜け止めすることができる。
【０００８】
【発明の実施の形態】
最初に、理解の便宜を図るために、本発明者らが本発明を完成する過程で試みた技術を説明する。本発明はこの試みを通して創作されたものである。
図７は、ターミナルプレートの平面図と側面図であり、図８は、ボディアッパ本体の要部縦断面図であり、図９は、ターミナルプレートとボディアッパ本体の組付時の要部縦断面図であり、図１０と図１１はターミナルプレートとボディアッパ本体の組付途中の要部縦断面図である。
【０００９】
燃料ポンプは、図示しない燃料ポンプ部とそれを駆動するモータ部とが筒状のハウジングに組付けられた燃料ポンプ本体を備えており、その燃料ポンプ本体の燃料ポンプ部とは反対側の端部は開口している。図８に示す樹脂製のボディアッパ本体２６は、燃料ポンプ本体の端部開口に固定されてその開口を閉塞する。
図７（ａ）はターミナルプレート２４の平面図であり、図７（ｂ）はターミナルプレート２４の側面図である。図７（ａ），（ｂ）に示すように、ターミナルプレート２４は図中左側（ポンプの外側であり、燃料ポンプ本体の反対側）から順に、コネクタ勘合部２４ａと、抜け止め用切起し２４ｂと、肉厚部２４ｃと、結合部２４ｄを有している。コネクタ勘合部２４ａの先端部はやや先細形状となっており、燃料ポンプ外に突出する部分である。抜け止め用切起し２４ｂは、ターミナルプレート２４の中央部に設けられたＵ字状の切れ目によって囲まれた片が切り残された辺のまわりに起こされたものであり、図７（ｂ）に示されているように、起こされた片２４ｂはポンプ側（右側）に向かって拡開している。肉厚部２４ｃは、コネクタ勘合部２４ａに比べて肉厚であり、図中右側にいくに従って徐々に厚みを増す形状となっている。結合部２４ｄは、ポンプ内に残って、図示しない燃料ポンプ本体内部に収容されているブラシのリード線を結合する部分である。
【００１０】
図８に示すボディアッパ本体２６は、おおむね蓋つきの略円筒形状であり、図示しない燃料ポンプ本体の一端側の開口に液密に結合し、燃料ポンプ本体の一端側開口を閉塞する。ボディアッパ本体２６は、１対のターミナルプレート貫通孔２６ｘと、図示しない出口ポートとを有している。図８（ａ）と図８（ｂ）は、異なった断面であり、図８（ｃ）は、図８（ｂ）の要部拡大図である。ターミナルプレート貫通孔２６ｘには、燃料ポンプ本体側（図中右側）の開口部２６ｚからターミナルプレート２４が挿入される。ターミナルプレート貫通孔２６ｘは、反燃料ポンプ本体側（図中左側）から順に、段部２６ａと圧入部２６ｃとを有する。段部２６ａは、ターミナルプレート２４の抜け止め用切起し２４ｂが当接する部分であり、圧入部２６ｃは、その断面形状がターミナルプレート２４の肉厚部２４ｃの断面形状より若干小さくなっている部分である。
【００１１】
図９は、ボディアッパ本体２６にターミナルプレート２４が組付けられた図である。ターミナルプレート２４がターミナルプレート貫通孔２６ｘに圧入され、ターミナルプレート２４の肉厚部２４ｃがターミナルプレート貫通孔２６ｘの圧入部２６ｃに液密に密着している。また、特に図９（ｂ）に示すように、ターミナルプレート２４の抜け止め用切起し２４ｂがボディアッパ本体２６の段部２６ａに当接しており、ターミナルプレート２４が燃料ポンプ本体側へ押戻されることを禁止している。
【００１２】
このようにして、ターミナルプレート２４とボディアッパ本体２６を液密に組付けることができるはずである。ターミナルプレート２４とボディアッパ本体２６は、抜け止め用切起し２４ｂと段部２６ａからなる抜け止め機構で抜け止めされ、ターミナルプレート２４に燃料ポンプ外から燃料ポンプ内へ押圧する力が作用しても、燃料ポンプ内に抜け落ちることはない。
【００１３】
しかしながら、実際には液密が確保されないことがある。次にその理由を説明する。図１０はターミナルプレート２４がターミナルプレート貫通孔２６ｘに圧入される途中の状態を示しており、図１１はターミナルプレート貫通孔２６ｘを拡大した図である。図１０に示すように、ターミナルプレート２４は、ターミナルプレート貫通孔２６ｘに、図中右側の燃料ポンプ本体側から挿入される。コネクタ勘合部２４ａの先端部は先細形状であり、ターミナルプレート貫通孔２６ｘ内を通過しやすくなっている。
【００１４】
図１１に、ターミナルプレート貫通孔２６ｘ内を移動するターミナルプレート２４の抜け止め用切起し２４ｂの状態を、順を追って示している。図１１（ａ）は、コネクタ勘合部２４ａが圧入部２６ｃを通過し、抜け止め用切起し２４ｂが圧入部２６ｃの角部２６ｅに接触した状態を示している。図１１（ｂ）は、抜け止め用切起し２４ｂが圧入部２６ｃの角部２６ｅに接触し、押圧されて閉じた状態を示している。このとき以降、抜け止め用切起し２４ｂの角部２４ｅは圧入部２６ｃの内壁に当接しながら移動する。図１１（ｃ）は、抜け止め用切起し２４ｂが圧入部２６ｃを通過し、段部２６ａに達し、圧入部２６ｃによる押圧が解除されて拡開した状態を示している。このとき、肉厚部２４ｃは圧入部２６ｃに達して圧入される。
【００１５】
上記の例では、ターミナルプレート２４をボディアッパ本体２６に組み付けた後に、ターミナルプレート２４が燃料ポンプ本体（図示省略）側へ押圧され、燃料ポンプ内に抜け落ちる不具合を解消するため、ターミナルプレート２４に抜け止め用切起し２４ｂを設けている。しかし、ターミナルプレート２４をターミナルプレート貫通孔２６ｘに挿入するとき、抜け止め用切起し２４ｂの角部２４ｅが圧入部２６ｃの内壁に接しながら移動するため、圧入部２６ｃの内壁に傷をつけてしまう可能性がある。圧入部２６ｃの内壁に傷があると、肉厚部２４ｃがターミナルプレート貫通孔２６ｘの圧入部２６ｃに圧入されたときに、両者が密着することができず、両者の間から燃料が漏れ出ることがある。
【００１６】
以上の試みを通して、下記に説明する実施例が完成した。それを図１〜図６を用いて説明する。
図１（ａ）はターミナルプレート１４の平面図であり、図１（ｂ）はターミナルプレート１４の側面図である。図１（ａ），（ｂ）に示すように、ターミナルプレート１４は図中左側（ポンプの外側であり、燃料ポンプ本体の反対側）から順に、コネクタ勘合部１４ａと、抜け止め用切起し１４ｂと、肉厚部１４ｃと、結合部１４ｄを有している。コネクタ勘合部１４ａの先端部はやや先細形状となっており、燃料ポンプ外に突出する部分である。抜け止め用切起し１４ｂは、ターミナルプレート１４の中央部に設けられたＵ字状の切れ目によって囲まれた片が、切り残された辺のまわりに起こされたものであり、図１（ｂ）に示されているように、起こされた片１４ｂはポンプ側（右側）に向かって拡開している。肉厚部１４ｃは、コネクタ勘合部１４ａに比べて肉厚であり、図中右側にいくに従って徐々に厚みを増す形状となっている。結合部１４ｄは、ポンプ内に残って、図示しない燃料ポンプ本体内部に収容されているブラシのリード線を結合する部分である。
【００１７】
図２と図３に示すボディアッパ本体１６は、おおむね蓋つきの略円筒形状であり、図示しない燃料ポンプ本体の一端側の開口に液密に結合し、燃料ポンプ本体の一端側開口を閉塞する。図２に示すように、ボディアッパ本体１６は、１対のターミナルプレート貫通孔１６ｘと、出口ポート１６ｙとを有している。このボディアッパ本体１６のＡ−Ａ断面図を図３（ａ）に示し、Ｂ−Ｂ断面図を図３（ｂ）に示す。なお、図３（ｃ）は、図３（ｂ）の要部拡大図である。ターミナルプレート貫通孔１６ｘには、燃料ポンプ本体側（図中右側）の開口部１６ｚからターミナルプレート１４が挿入される。ターミナルプレート貫通孔１６ｘは、反燃料ポンプ本体側（図中左側）から順に、段部１６ａと凸部１６ｂと圧入部１６ｃとを有する。段部１６ａは、ターミナルプレート１４の抜け止め用切起し１４ｂが当接する部分であり、自然形状の抜け止め用切起し１４ｂに係合して抜け止めする。凸部１６ｂは、ターミナルプレート貫通孔１６ｘ中で最も狭窄な部分であり、コネクタ勘合部１４ａは通過でき、拡開している抜け止め用切起し１４ｂは閉じなければ通過できない形状である。圧入部１６ｃは、その断面形状がターミナルプレート１４の肉厚部１４ｃの断面形状より若干小さくなっている部分である。
【００１８】
図４は、ボディアッパ本体１６にターミナルプレート１４が組付けられた図である。ターミナルプレート１４がターミナルプレート貫通孔１６ｘに圧入され、ターミナルプレート１４の肉厚部１４ｃがターミナルプレート貫通孔１６ｘの圧入部１６ｃに液密に密着している。また、特に図４（ｂ）に示すように、ターミナルプレート１４の抜け止め用切起し１４ｂは、自然形状でボディアッパ本体１６の段部１６ａに当接しており、ターミナルプレート１４が燃料ポンプ本体側へ押戻されることを禁止している。
【００１９】
本実施例の燃料ポンプに組付けられるターミナルプレート１４とボディアッパ本体１６は、上述の特徴的な形状によって、液密に組付けることができる。またターミナルプレート１４とボディアッパ本体１６は、ターミナルプレート１４が反燃料ポンプ本体側から燃料ポンプ本体側へ押圧されても燃料ポンプ内に抜け落ちない機構を有しており、この抜け止め機構は他部品によらない。
【００２０】
次に、図５と図６を参照して、ターミナルプレート１４がターミナルプレート貫通孔１６ｘに圧入される途中の状態を説明する。図６に、ターミナルプレート貫通孔１６ｘ内を移動するターミナルプレート１４の抜け止め用切起し１４ｂの状態を、順を追って示している。図６（ａ）は、コネクタ勘合部１４ａが凸部１６ｂを通過した状態を示している。このとき、抜け止め用切起し１４ｂは自然形状であり、ターミナルプレート貫通孔１６ｘの内壁には接触していない。図６（ｂ）は、抜け止め用切起し１４ｂが凸部１６ｂの角部１６ｄに接触した状態を示している。なお、抜け止め用切起し１４ｂが凸部１６ｂの角部１６ｄに接触する以前に、抜け止め用切起し１４ｂが圧入部１６ｃに接触することはない。図６（ｃ）は、抜け止め用切起し１４ｂが凸部１６ｂの角部１６ｄに接触し、抜け止め用切起し１４ｂが押圧されて閉じた状態を示している。このとき、抜け止め用切起し１４ｂが凸部１６ｂで押圧されて閉じ、圧入部１６ｃに接触することなく通過できる角度まで閉じられる。図６（ｄ）は、抜け止め用切起し１４ｂが凸部１６ｂを通過し、段部１６ａに達し、凸部１６ｂによる押圧が解除されて自然形状に拡開した状態を示している。このとき、肉厚部１４ｃは凸部１６ｂおよび圧入部１６ｃに達して圧入される。
【００２１】
本実施例では、ターミナルプレート貫通孔１６ｘの圧入部１６ｃに隣接して凸部１６ｂを設けている。ターミナルプレート１４の抜け止め用切起し１４ｂは、圧入部１６ｃに接触することなく凸部１６ｂに接触し、凸部１６ｂの角部１６ｄによって押圧されて閉じ、段部１６ａに到達するまでは閉じた状態のまま移動する。このため、抜け止め用切起し１４ｂは圧入部１６ｃに全く接触することがないため、圧入部１６ｃに傷をつけることもない。このことにより、ターミナルプレート１４とボディアッパ本体１６のターミナルプレート貫通孔１６ｘをより確実に液密に密着させることができる。
【００２２】
本発明の燃料ポンプは、ターミナルプレートとボディアッパ本体を組付ける際に、ターミナルプレート貫通孔の圧入部に傷をつけることがなく、確実に液密に組付けることができ、且つ、他部品を必要とすることなく、ターミナルプレートがボディアッパから燃料ポンプ内へ抜け落ちることを防止することができる。
【００２３】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【図１】  本実施例に関わるターミナルプレートの平面図および側面図。
【図２】  本実施例に関わるボディアッパ本体の平面図。
【図３】  同ボディアッパ本体の要部縦断面図。
【図４】  同ターミナルプレートと同ボディアッパ本体の組付時の要部縦断面図。
【図５】  同ターミナルプレートと同ボディアッパ本体の組付途中の要部縦断面図。
【図６】  同ターミナルプレートと同ボディアッパ本体の組付途中の要部縦断面図。
【図７】  参考例のターミナルプレートの平面図および側面図。
【図８】  参考例のボディアッパ本体の要部縦断面図。
【図９】  同ターミナルプレートと同ボディアッパ本体の組付時の要部縦断面図。
【図１０】  同ターミナルプレートと同ボディアッパ本体の組付途中の要部縦断面図。
【図１１】  同ターミナルプレートと同ボディアッパ本体の組付途中の要部縦断面図。
【符号の説明】
１２：ボディアッパ
１４：ターミナルプレート
１４ａ：コネクタ勘合部
１４ｂ：抜け止め用切起し
１４ｃ：肉厚部
１４ｄ：結合部
１６：ボディアッパ本体
１６ｘ：ターミナルプレート貫通孔
１６ａ：段部
１６ｂ：凸部
１６ｃ：圧入部
１６ｄ：角部
１６ｙ：出口ポート
１６ｚ：開口部
【図１】
0003954376.tif 000002
【図２】
0003954376.tif 000003
【図３】
0003954376.tif 000004
【図４】
0003954376.tif 000005
【図５】
0003954376.tif 000006
【図６】
0003954376.tif 000007
【図７】
0003954376.tif 000008
【図８】
0003954376.tif 000009
【図９】
0003954376.tif 000010
【図１０】
0003954376.tif 000011
【図１１】
0003954376.tif 000012